(57)【要約】【課題】洗濯物の量が多い場合や洗濯物の布質が化繊のように水に馴染みにくいものの場合であっても、洗い行程やすすぎ行程および特に脱水行程において洗濯物が水槽カバーを乗り越えて洗濯兼脱水槽から飛び出すことを防止でき、機体や洗濯物の損傷を防げる全自動一槽式洗濯機の水槽カバーを得る。【解決手段】外箱内に吊支した水槽内に、底部に回転翼を配設した洗濯兼脱水槽を回転自在に配設し、前記洗濯兼脱水槽の上部開口縁に設けたバランサ１０の上方およびバランサ１０と水槽との隙間を前記水槽に一体に形成した平面リング状の水槽カバー１１で覆う全自動一槽式洗濯機において、前記水槽カバー１１の先端縁の一部を水平方向に突出させ、この突出片１２の先端部を前記リング状の円弧とは異なる形状に形成した。【選択図】        図１
2005021365.tif 000002
【特許請求の範囲】
【請求項１】
外箱内に吊支した水槽内に、底部に回転翼を配設した洗濯兼脱水槽を回転自在に配設し、前記洗濯兼脱水槽の上部開口縁に設けたバランサの上方およびバランサと水槽との隙間を前記水槽に一体に形成した平面リング状の水槽カバーで覆う全自動一槽式洗濯機において、前記水槽カバーの先端縁の一部を水平方向に突出させ、この突出片の先端部を前記リング状の円弧とは異なる形状に形成したことを特徴とする全自動一槽式洗濯機の水槽カバー。
【請求項２】
前記突出片の先端は、直線形状に形成することを特徴とする請求項１記載の全自動一槽式洗濯機の水槽カバー。
【請求項３】
前記突出片の下部から下方に向けて突出する部材を設けることを特徴とする請求項１または請求項２に記載の全自動一槽式洗濯機の水槽カバー。
【発明の詳細な説明】
【０００１】
【発明の属する技術分野】
この発明は、全自動一槽式洗濯機の水槽カバーに関するものである。
【０００２】
【従来の技術】
全自動一槽式洗濯機は周知のごとく、例えば図３にも示すように、外箱１内に防振装置２を介して水槽３を揺動自在に配設し、この水槽３内に底部に回転翼４を配設した洗濯兼脱水槽５を配設し、水槽３の下方に回転翼４と洗濯兼脱水槽５とを回転させるためのモータ６と減速およびクラッチ切り替え機構７を配設している。
【０００３】
外箱１の上部を中央を衣類出し入れ用の開口に形成したトップカバー８で覆い、前記開口を蓋９で開閉自在に覆う。
【０００４】
また、前記洗濯兼脱水槽５の開口縁に中空輪状のバランサ１０を取り付け、このバランサ１０の上方と、洗濯兼脱水槽５と水槽３との隙間の上方を覆うようにして、水槽３の開口縁に水槽カバー１１を取付けている。
【０００５】
前記水槽カバー１１は水槽３の開口縁から開口の中央に向けて同じ幅で水平に突出する平面リング状のもので、水槽３の開口縁と同心円的に形成されている。
【０００６】
そして、洗濯を行なうには、洗濯兼脱水槽５内に洗濯物と洗剤を投入し、蓋９を閉じれば、設定された洗濯内容にしたがって設定水位まで自動的に給水され、洗い行程、すすぎ行程、脱水行程が自動的に進行し、洗濯が終了する。
【０００７】
前記従来技術は当業者間において一般的に行なわれているものであり、文献公知発明にかかるものではない。
【０００８】
【発明が解決しようとする課題】
洗濯物の布質がポリエステルなどの化繊のように水に馴染みにくいものの場合は、洗いやすすぎ行程においては、空気を含んで水に浮きやすくなるため、洗濯兼脱水槽５から上方に飛び出すことが多い。また、脱水行程においては、布質が水に馴染みにくいものの場合だけでなく、洗濯物の量が多い場合も、高速で回転する洗濯兼脱水槽５の遠心力によって水槽カバー１１を乗り越えて洗濯兼脱水槽５の開口から上方に洗濯物が飛び出すことが多い。
【０００９】
その結果、洗濯機の機体や洗濯物が損傷するおそれがある。
【００１０】
この発明の目的は前記従来例の不都合を解消し、洗濯物の量が多い場合や洗濯物の布質が化繊のように水に馴染みにくいものの場合であっても、洗い行程やすすぎ行程および特に脱水行程において洗濯物が水槽カバーを乗り越えて洗濯兼脱水槽から飛び出すことを防止でき、機体や洗濯物の損傷を防げる全自動一槽式洗濯機の水槽カバーを提供することにある。
【００１１】
【課題を解決するための手段】
この発明は前記目的を達成するため、請求項１に記載の本発明では、外箱内に吊支した水槽内に、底部に回転翼を配設した洗濯兼脱水槽を回転自在に配設し、前記洗濯兼脱水槽の上部開口縁に設けたバランサの上方およびバランサと水槽との隙間を前記水槽に一体に形成した平面リング状の水槽カバーで覆う全自動一槽式洗濯機において、前記水槽カバーの先端縁の一部を水平方向に突出させ、この突出片の先端部を前記リング状の円弧とは異なる形状に形成したことを特徴とする。
【００１２】
請求項１に記載の本発明によれば、洗濯物の量が多い場合や洗濯物の布質が化繊のように水に馴染みにくいものの場合であっても、洗い行程やすすぎ行程および特に脱水行程において洗濯物が遠心力などによって水槽カバーを超えて洗濯兼脱水槽の上方に飛び出そうとしても、水槽カバーに設けた突出片によって遠心力が作用する方向への洗濯物の動きが阻止されるから、洗濯物の飛び出しを防止でき、機体や洗濯物の損傷を防げる。
【００１３】
【発明の実施の形態】
以下、図面についてこの発明の実施の形態を詳細に説明する。図１はこの発明の全自動一式洗濯機の水槽カバーの縦断側面図、図２は同上平面図、図３はこの発明の水槽カバーが実施される全自動一槽式洗濯機の縦断側面図で、洗濯機の全体構成は既に説明したとおりであるから、ここでの詳細な説明は省略する。
【００１４】
この発明の水槽カバー１１も、洗濯兼脱水槽５の開口縁に取り付けた中空輪状のバランサ１０の上方と、洗濯兼脱水槽５と水槽３との隙間の上方を覆うようにして取付けられるもので、本体１１ａは、従来と同様に水槽３の開口縁から開口の中央に向けて同じ幅で水平に突出する平面リング状に形成され、水槽３の開口縁と同心円的に形成されている。
【００１５】
この発明では、かかる構造の水槽カバー１１の本体１１ａの先端縁の一部を内側に向けて水平方向に突出させ、この突出片１２の先端部を前記リング状の本体１１ａの円弧とは異なる形状として、例えば図示のような直線形状に形成して、突出片１２を平面扁平な半月形状に形成した。
【００１６】
これにより、水槽カバー１１の内縁の形状が円弧部１１ｂと直線部１２ａとの組み合わせで形成されることになり、突出片１２を設けた部位では水槽カバー１１は図１に示すように洗濯兼脱水槽５の内方に向けて水平に突出する。
【００１７】
次ぎに作用について説明する。洗濯物の布質がポリエステルなどの化繊のように水に馴染みにくいものの場合、洗いやすすぎ行程においては、空気を含んで水に浮きやすくなるため、洗濯兼脱水槽５から上方に飛び出そうとする力が作用する。また、洗濯物の布質が水に馴染みにくいものの場合だけでなく、洗濯物の量が多い場合は、脱水行程において、高速で回転する洗濯兼脱水槽５の遠心力によって水槽カバー１１を乗り越えて洗濯兼脱水槽５の開口から上方に洗濯物が飛び出そうとする力が作用する。
【００１８】
このような場合、洗濯物は遠心力により水槽カバー１１の内周縁に沿って移動するが、この際、遠心力によって円弧部１１ｂにそって周方向に移動していた洗濯物が、突出片１２の箇所にくると直線部１２ａに沿って移動することになり、移動の軌跡が円から直線に変換される。
【００１９】
これにより、洗濯物に作用していた外に飛び出そうとする力が消失し、洗濯物は洗濯兼脱水槽５内に落とし込まれ、外に飛び出すことが阻止される。
【００２０】
なお、洗濯物の量が少ないほど、洗濯物に対して作用する洗濯兼脱水槽５から外に飛び出そうとする力は小さいが、かかる場合は、飛び出した洗濯物が突出片１２によって洗濯兼脱水槽５内に倒れるようにして戻されるときに、倒れきれずに遠心力によって水槽カバー１１とバランサ１０との隙間に入り込むことがある。
【００２１】
また、洗濯物の密度が大きい場合も同様に、洗濯兼脱水槽５から飛び出した洗濯物が突出片１２によって洗濯兼脱水槽５内に倒れるようにして戻されるときに、倒れきれずに遠心力によって水槽カバー１１とバランサ１０との隙間に入り込むことがある。
【００２２】
これに対処する手段としてこの発明では、突出片１２の下部から下方に向けて突出する部材を設ける。この突出部材の形状としてはリブ状にして、例えば図４に示す例では長さ方向が突出片１２の直線部１２ａと平行なリブ１３とし、このリブ１３で水槽カバー１１とバランサ１０との隙間の前方を塞ぐようにした。
【００２３】
また、図５に示す例では、長さ方向が突出片１２の直線部１２ａと直交する方向のリブ１４とし、水槽カバー１１とバランサ１０との隙間の前方に垂設するようにした。
【００２４】
洗濯兼脱水槽５から飛び出した洗濯物が突出片１２によって洗濯兼脱水槽５内に戻されるとき、水槽カバー１１とバランサ１０との隙間に入り込みそうになっても、前記リブ１３、１４にぶつかることで、隙間への侵入が阻止される。
【００２５】
【発明の効果】
以上述べたようにこの発明の全自動一槽式洗濯機の水槽カバーは、外箱内に吊支した水槽内に、底部に回転翼を配設した洗濯兼脱水槽を回転自在に配設し、前記洗濯兼脱水槽の上部開口縁に設けたバランサの上方およびバランサと水槽との隙間を前記水槽に一体に形成した平面リング状の水槽カバーで覆う全自動一槽式洗濯機において、前記水槽カバーの先端縁の一部を水平方向に突出させ、この突出片の先端部を前記リング状の円弧とは異なる形状に形成したことを特徴とするものである。
【００２６】
これにより、洗濯物の量が多い場合や洗濯物の布質が化繊のように水に馴染みにくいものの場合であっても、洗い行程やすすぎ行程および特に脱水行程において洗濯物が遠心力などによって水槽カバーを超えて洗濯兼脱水槽の上方に飛び出そうとしても、水槽カバーに設けた突出片によって遠心力が作用する方向への洗濯物の動きが阻止されるから、洗濯物の飛び出しを防止でき、機体や洗濯物の損傷を防げるものである。
【図面の簡単な説明】
【図１】この発明の全自動一槽式洗濯機の水槽カバーの実施形態を示す縦断側面図である。
【図２】この発明の全自動一槽式洗濯機の水槽カバーの実施形態を示す要部の平面図である。
【図３】この発明の水槽カバーが実施される全自動一槽式洗濯機の縦断側面図である。
【図４】この発明の全自動一槽式洗濯機の水槽カバーの実施形態を示すリブを設けた状態の縦断側面図である。
【図５】この発明の全自動一槽式洗濯機の水槽カバーの実施形態を示す他の形態のリブを設けた状態の縦断側面図である。
【符号の説明】
１  外箱                          ２  防振装置
３  水槽                          ４  回転翼
５  洗濯兼脱水槽                  ６  モータ
７  減速およびクラッチ切り替え機構
８  トップカバー                  ９  蓋
１０  バランサ                    １１  水槽カバー
１１ａ  本体                      １１ｂ  円弧部
１２  突出片                      １２ａ  直線部
１３  リブ                        １４  リブ
【図１】
2005021365.tif 000003
【図２】
2005021365.tif 000004
【図３】
2005021365.tif 000005
【図４】
2005021365.tif 000006
【図５】
2005021365.tif 000007